(57)【特許請求の範囲】
【請求項１】
通常モードと点検モードとの間で動作モードを切り替えることが可能なエレベータであって、
エレベータの乗りかご内に設けられる換気扇部と、
デフォルト設定が前記通常モードで、保守作業員が保守作業を開始するときに前記点検モードに切り替え、保守作業を終了したときに前記通常モードに戻す動作モード切替スイッチと、
デフォルト設定が作動（ＯＮ）で、保守作業員が保守作業において必要に応じ前記換気扇部を作動（ＯＮ）または停止（ＯＦＦ）のいずれかに切り替える換気扇手動スイッチと、
換気扇制御部と、
を備え、
前記換気扇制御部は、
前記動作モード切替スイッチによって切り替えられた前記動作モードが前記点検モードあるいは前記通常モードのいずれであるかを判断するモード判断処理部と、
前記動作モードが前記通常モードのときに前記換気扇手動スイッチの操作を禁止し、前記動作モードが前記点検モードのときに前記換気扇手動スイッチの操作を許可する手動切替許可／禁止処理部と、
前記動作モードが前記通常モードから前記点検モードへと切り替わったときに、前記保守作業員が前記保守作業を開始するときに前記換気扇部を停止することを忘れても前記換気扇部を自動的に停止させ、前記動作モードが前記点検モードから前記通常モードへと切り替わったときに、前記保守作業員が前記保守作業において前記換気扇部を作動させた後停止させたままでも前記換気扇部を自動的に作動させて前記デフォルト設定状態に戻す自動切替処理部と、
を有することを特徴とするエレベータ。
【請求項２】
請求項１に記載のエレベータにおいて、
前記換気扇制御部は、
前記動作モードが前記通常モードのときは、前記乗りかご内の温度及び湿度の少なくともいずれか一方に応じて、前記換気扇部の動作を制御することを特徴とするエレベータ。
【請求項３】
請求項２に記載のエレベータにおいて、
前記乗りかご内に設けられる空調装置をさらに備え、
前記換気扇制御部は、
前記換気扇部の動作とともに、前記空調装置の動作も制御することを特徴とするエレベータ。
【請求項４】
請求項２または請求項３に記載のエレベータにおいて、
前記換気扇制御部は、
前記温度及び湿度を記録することを特徴とするエレベータ。
【請求項５】
請求項４に記載のエレベータにおいて、
前記換気扇制御部は、
前記動作モードが前記点検モードから前記通常モードへと切り替わった後の所定の期間内は、前記温度及び湿度を記録しないことを特徴とするエレベータ。
【請求項６】
請求項３に記載のエレベータにおいて、
前記換気扇制御部は、
前記動作モードが前記点検モードから前記通常モードへと切り替わった後に、設定温度より緩和された温度である緩和温度で前記空調装置を動作させることを特徴とするエレベータ。
【請求項７】
請求項６に記載のエレベータにおいて、
前記換気扇制御部は、
前記動作モードが前記点検モードから前記通常モードへと切り替わったときに前記設定温度を前記緩和温度に変更して前記空調装置を動作させ、その後所定の期間が経過したときに前記緩和温度から前記設定温度に再び変更して前記空調装置を動作させることを特徴とするエレベータ。
【発明の詳細な説明】
【技術分野】
【０００１】
本発明は、エレベータに係り、特に、乗りかご内に換気扇部を有するエレベータに関する。
【背景技術】
【０００２】
現在、商業施設等の様々な場所において、エレベータが設置されている。そして、乗りかご内の環境を快適にするために、種々の対策が講じられている。例えば、乗りかご内に換気扇を設置して、夏場等に当該換気扇を作動させることで乗りかご内の温度等を適切にしている。
【０００３】
本発明に関連する技術として、特許文献１には、かごに設置されたかご内環境を感知するかご内環境感知手段と、かごに設置されたファンの運転を制御するファン運転制御手段とを備えたエレベータ用かご内ファンの自動制御装置が開示されている。そして、かご内環境感知手段によりえられた環境データと遠隔監視センター内に設置された記憶手段に予め記憶されているかご運転データ等とに基づいてかご内環境最適条件を設定するかご内環境最適条件設定手段を備えることが開示されている。さらに、このかご内環境最適条件設定手段によってえられたかご内環境最適条件に基づいてファンの運転を指令するファン運転指令手段を備えることが開示されている。また、ファン運転指令手段からの指令によりファン運転制御手段を作動させるようにしたことが述べられている。
【先行技術文献】
【特許文献】
【０００４】
【特許文献１】特開２００２−２００６０号公報
【発明の概要】
【発明が解決しようとする課題】
【０００５】
ところで、エレベータを長期間使用するためには、定期的にエレベータの各種機器等をメンテナンスする必要がある。例えば、当該メンテナンス作業を行なう場合において、乗りかご内の換気扇を、換気扇作動／停止切替スイッチを用いて手動で一旦停止させた後に当該換気扇等を点検することがある。そして、当該メンテナンス作業を終えた後に、当該換気扇を、当該スイッチを用いて手動で再び作動させる必要があるが、このとき、再び当該換気扇を作動させることを忘れたままエレベータの通常運転を再開させてしまうことがある。
【０００６】
本発明の目的は、メンテナンス作業を終えたときに換気扇を自動的に作動させるエレベータを提供することである。
【課題を解決するための手段】
【０００７】
本発明に係るエレベータは、通常モードと点検モードとの間で動作モードを切り替えることが可能なエレベータであって、前記エレベータの乗りかご内に設けられる換気扇部と、デフォルト設定が前記通常モードで、保守作業員が保守作業を開始するときに前記点検モードに切り替え、保守作業を終了したときに前記通常モードに戻す動作モード切替スイッチと、デフォルト設定が作動（ＯＮ）で、保守作業員が保守作業において必要に応じ前記換気扇部を作動（ＯＮ）または停止（ＯＦＦ）のいずれかに切り替える換気扇手動スイッチと、換気扇制御部と、を備え、前記換気扇制御部は、前記動作モード切替スイッチによって切り替えられた前記動作モードが前記点検モードあるいは前記通常モードのいずれであるかを判断するモード判断処理部と、前記動作モードが前記通常モードのときに前記換気扇手動スイッチの操作を禁止し、前記動作モードが前記点検モードのときに前記換気扇手動スイッチの操作を許可する手動切替許可／禁止処理部と、前記動作モードが前記通常モードから前記点検モードへと切り替わったときに、前記保守作業員が前記保守作業を開始するときに前記換気扇部を停止することを忘れても前記換気扇部を自動的に停止させ、前記動作モードが前記点検モードから前記通常モードへと切り替わったときに、前記保守作業員が前記保守作業において前記換気扇部を作動させた後停止させたままでも前記換気扇部を自動的に作動させて前記デフォルト設定状態に戻す自動切替処理部と、を有することを特徴とする。
【０００９】
また、本発明に係るエレベータにおいて、前記換気扇制御部は、前記動作モードが前記通常モードのときは、前記乗りかご内の温度及び湿度の少なくともいずれか一方に応じて、前記換気扇部の動作を制御することが好ましい。
【００１０】
また、本発明に係るエレベータにおいて、前記乗りかご内に設けられる空調装置をさらに備え、前記換気扇制御部は、前記換気扇部の動作とともに、前記空調装置の動作も制御することが好ましい。
【００１１】
また、本発明に係るエレベータにおいて、前記換気扇制御部は、前記温度及び湿度を記録することが好ましい。
【００１２】
また、本発明に係るエレベータにおいて、前記換気扇制御部は、前記動作モードが前記点検モードから前記通常モードへと切り替わった後の所定の期間内は、前記温度及び湿度を記録しないことが好ましい。
【００１３】
また、本発明に係るエレベータにおいて、前記換気扇制御部は、前記動作モードが前記点検モードから前記通常モードへと切り替わった後に、設定温度より緩和された温度である緩和温度で前記空調装置を動作させることが好ましい。
【００１４】
また、本発明に係るエレベータにおいて、前記換気扇制御部は、前記動作モードが前記点検モードから前記通常モードへと切り替わったときに前記設定温度を前記緩和温度に変更して前記空調装置を動作させ、その後所定の期間が経過したときに前記緩和温度から前記設定温度に再び変更して前記空調装置を動作させることが好ましい。
【発明の効果】
【００１６】
上記構成によれば、エレベータの動作モードが点検モードから通常モードへと切り替わったときに、換気扇部を自動的に作動させる換気扇制御部を有している。これにより、メンテナンス作業を終えたときに換気扇部を自動的に作動させることができる。
【図面の簡単な説明】
【００１７】
【図１】本発明に係る実施の形態において、エレベータを示す図である。
【図２】本発明に係る実施の形態において、かご操作盤の構成及び換気扇制御部の各要素の詳細に示し、換気扇制御部と換気扇と空調装置と温度／湿度センサとの接続関係を示す図である。
【図３】本発明に係る実施の形態において、メンテナンス作業を終えたときに換気扇を自動的に作動させる手順を示すフローチャートである。
【発明を実施するための形態】
【００１８】
以下に図面を用いて、本発明に係る実施の形態を詳細に説明する。また、以下では、乗りかご内には換気扇と空調装置とが取り付けられているものとして説明するが、必ずしも２つとも取り付けられている必要はなく、例えば、換気扇が取り付けられ、空調装置が取り付けられない乗りかごであってもよい。
【００１９】
また、以下では、全ての図面において、同様の要素には同一の符号を付し、重複する説明を省略する。また、本文中の説明においては、必要に応じそれ以前に述べた符号を用いるものとする。
【００２０】
図１は、エレベータ１０を示す図である。エレベータ１０は、主ロープ１２と、釣合錘１４と、巻上機１６と、エレベータ制御盤１８と、乗りかご２０と、乗場扉２８と、昇降路３０とを有する。また、エレベータ１０は、乗りかご２０を各階２７の間を昇降させることで乗客を移動させる。
【００２１】
主ロープ１２は、乗りかご２０を吊るすためのロープであり、巻上機１６に巻き掛けられている。そして、主ロープ１２の一方端は乗りかご２０に接続され、他方端は釣合錘１４が接続されている。
【００２２】
釣合錘１４は、主ロープ１２の他方端に接続され、主ロープ１２の一方端に接続される乗りかご２０との間でバランスを取るために必要な重量が設定される。
【００２３】
巻上機１６は、エレベータ制御盤１８の制御によって、巻き掛けられた主ロープ１２を駆動させることで乗りかご２０を昇降させるための装置である。また、巻上機１６は、機械室８に配置されている。
【００２４】
エレベータ制御盤１８は、乗りかご２０の昇降速度や運行管理等を含んだエレベータ１０全体の運行に関する制御を行う装置である。また、エレベータ制御盤１８は、動作モードが通常モードのときは、通常通りの運行制御を行う。そして、エレベータ制御盤１８は、動作モードが点検モードのときは、保守点検のための運行制御を行い、例えば、乗りかご２０を最寄階に停止させて乗客を降車させた後にそれ以降、乗場からの呼びを受け付けない状態とする。なお、エレベータ制御盤１８は、機械室８に配置されている。
【００２５】
乗りかご２０は、エレベータ制御盤１８の制御によって、巻上機１６が作動すると昇降路３０内を昇降し、乗客を乗せるための構造物である。また、乗りかご２０は、換気扇２１と、空調装置２２と、温度／湿度センサ２３と、かご操作盤２４と、乗りかご扉２６とを含む。
【００２６】
換気扇２１は、換気扇制御部２４６の制御によって作動／停止するファンである。また、換気扇２１は、乗りかご２０内の天井部付近において、乗客に対して好適に送風することが可能となる位置に取り付けられる。
【００２７】
空調装置２２は、換気扇制御部２４６の制御によって作動／停止するファンである。また、空調装置２２は、乗りかご２０内の天井部付近において、乗りかご２０内の空調を行うために好適な位置に取り付けられる。
【００２８】
温度／湿度センサ２３は、乗りかご２０内に取り付けられ、乗りかご２０内の温度、あるいは乗りかご２０内の湿度を検知して、その検知結果を換気扇制御部２４６に伝送する機能を有している。
【００２９】
図２は、かご操作盤２４の構成及び換気扇制御部２４６の各要素の詳細に示し、換気扇制御部２４６と換気扇２１と空調装置２２と温度／湿度センサ２３との接続関係を示す図である。かご操作盤２４は、行先階設定釦２４２と、操作盤ＢＯＸ２４４と、換気扇制御部２４６とを有する。行先階設定釦２４２は、乗りかご２０内に乗り込んだ乗客が行先階を選択して設定するための押釦である。
【００３０】
操作盤ＢＯＸ２４４は、動作モード切替スイッチ２４４ａと、換気扇手動スイッチ２４４ｂと、空調装置手動スイッチ２４４ｃとを有する。動作モード切替スイッチ２４４ａは、エレベータ１０の動作モードを通常モード／点検モードのいずれかに切り替えるためのスイッチである。ここで、通常モードは、エレベータ１０が通常通りの運行を行う動作モードである。点検モードは、エレベータ１０が保守点検のために予め設定された動作モードである。換気扇手動スイッチ２４４ｂは、換気扇２１を作動（ＯＮ）／停止（ＯＦＦ）のいずれかに切り替えるためのスイッチである。空調装置手動スイッチ２４４ｃは、空調装置２２を作動（ＯＮ）／停止（ＯＦＦ）のいずれかに切り替えるためのスイッチである。
【００３１】
換気扇制御部２４６は、モード判断処理部２４６ａと、自動切替処理部２４６ｂと、換気扇制御処理部２４６ｃと、空調装置制御処理部２４６ｄと、温度／湿度記録処理部２４６ｅと、手動切替許可／禁止処理部２４６ｆと、を有する。
【００３２】
モード判断処理部２４６ａは、動作モード切替スイッチ２４４ａによって切り替えられた動作モードが点検モードあるいは通常モードのいずれであるかを判断する機能を有する。
【００３３】
自動切替処理部２４６ｂは、動作モードが点検モードから通常モードへと切り替わった時に、換気扇２１及び空調装置２２を自動的に作動させる機能を有する。また、自動切替処理部２４６ｂは、動作モードが通常モードから点検モードへと切り替わった時に、換気扇２１及び空調装置２２を自動的に停止させる機能を有する。
【００３４】
換気扇制御処理部２４６ｃは、動作モードが通常モードのときに、温度／湿度センサ２３から伝送される乗りかご２０内の温度及び湿度に基づいて、換気扇２１の作動（ＯＮ）／停止（ＯＦＦ）制御や風量制御を行う機能を有する。
【００３５】
空調装置制御処理部２４６ｄは、動作モードが通常モードのときに、温度／湿度センサ２３から伝送される乗りかご２０内の温度及び湿度に基づいて、空調装置２２の作動（ＯＮ）／停止（ＯＦＦ）制御や風量制御を行う機能を有する。そして、空調装置制御処理部２４６ｄは、動作モードが点検モードから通常モードへと切り替わった後に、空調装置２２に設定された設定温度より緩和された温度である緩和温度で空調装置２２を動作させ、その後所定の期間が経過したときに当該緩和温度から当該設定温度に再び変更して空調装置２２を動作させる機能を有する。
【００３６】
温度／湿度記録処理部２４６ｅは、温度／湿度センサ２３から伝送される温度及び湿度を記録する機能を有する。ここで、温度／湿度記録処理部２４６ｅは、動作モードが点検モードから通常モードへと切り替わった後の所定の期間内は、当該温度及び湿度の記録を停止し、その後は再び当該温度及び湿度の記録を再開する。
【００３７】
手動切替許可／禁止処理部２４６ｆは、動作モードが通常モードのときに換気扇手動スイッチ２４４ｂ及び空調装置手動スイッチ２４４ｃの操作を禁止し、動作モードが点検モードのときに換気扇手動スイッチ２４４ｂ及び空調装置手動スイッチ２４４ｃの操作を許可する機能を有する。
【００３８】
乗りかご扉２６は、乗りかご２０に設けられる扉であり、乗りかご２０が各階２７に着床した際に、当該着床階２７の乗場扉２８とともに開く。これにより、乗客が乗りかご２０に対して乗り降りすることができる。
【００３９】
乗場扉２８は、各階２７の乗場に設けられる扉であり、乗りかご２０が着床した際に、乗りかご扉２６とともに開く。これにより、乗客が乗りかご２０に対して乗り降りすることができる。
【００４０】
上記構成のエレベータ１０の作用について、図１〜図３を用いて説明する。図３は、エレベータ１０において、メンテナンス作業を終えたときに換気扇２１及び空調装置２２を自動的に作動させる手順を示すフローチャートである。なお、エレベータ１０の動作モードのデフォルト設定は、通常モードであり、また、換気扇手動スイッチ２４４ｂ及び空調装置手動スイッチ２４４ｃの操作状態についてのデフォルト設定は、禁止状態とされている。
【００４１】
通常モードにおいて、換気扇制御部２４６は、換気扇２１及び空調装置２２の動作を制御する（Ｓ１０）。具体的には、換気扇制御部２４６は、温度／湿度センサ２３から伝送される乗りかご２０内の温度及び湿度に基づいて、換気扇２１及び空調装置２２の作動（ＯＮ）／停止（ＯＦＦ）制御や風量制御等を行う。例えば、空調装置２２が冷房運転を行っており、空調装置２２の設定温度が２５℃で設定されている場合に、例えば、乗りかご２０内の温度が２８℃のときは、風量を強め、当該乗りかご２０内の温度が２４℃のときは、風量を弱めるといった制御を行う。この工程は、換気扇制御部２４６の換気扇制御処理部２４６ｃ及び空調装置制御処理部２４６ｄの機能によって実行される。
【００４２】
そして、換気扇制御部２４６は、温度／湿度センサ２３から伝送される温度及び湿度を記録する（Ｓ１２）。具体的には、乗りかご２０内の温度／湿度と各時刻とを関係づけて図示しない記録部に記録する。この工程は、換気扇制御部２４６の温度／湿度記録処理部２４６ｅの機能によって実行される。これにより、換気扇２１や空調装置２２に不具合等が発生した場合に、当該記録部に記録された温度及び湿度情報に基づいて、故障時間帯等を解析することができる。
【００４３】
また、換気扇制御部２４６は、保守作業員によるメンテナンス作業が開始されるかどうか、換言すれば、動作モードが通常モードから点検モードへと切り替わったか否かを判断する（Ｓ１４）。この工程は、換気扇制御部２４６のモード判断処理部２４６ａの機能によって実行される。Ｓ１４の工程において、動作モードが通常モードのままであると判断されれば、再びＳ１４へと戻る。
【００４４】
Ｓ１４の工程において、動作モードが通常モードから点検モードへと切り替わったと判断されれば、換気扇２１及び空調装置２２を自動的に停止する（Ｓ１６）。この工程は、換気扇制御部２４６の自動切替処理部２４６ｂの機能によって実行される。これにより、保守作業員がメンテナンス作業を開始するときに、保守作業員が換気扇２１及び空調装置２２を停止することを忘れてしまうことを防止することができる。
【００４５】
そして、換気扇手動スイッチ２４４ｂ及び空調装置手動スイッチ２４４ｃの操作を許可する（Ｓ１８）。この工程は、換気扇制御部２４６の手動切替許可／禁止処理部２４６ｆの機能によって実行される。これにより、メンテナンス作業中に、必要に応じて保守作業員が手動で換気扇２１あるいは空調装置２２の作動／停止を切り替えることができる。
【００４６】
また、温度／湿度センサ２３から伝送される温度及び湿度の記録を停止する（Ｓ２０）。この工程は、温度／湿度記録処理部２４６ｅの機能によって実行される。これにより、上記換気扇２１や空調装置２２に不具合等が発生した際の解析において、メンテナンス作業中の換気扇２１及び空調装置２２の停止による温度上昇を誤って異常と解析してしまうことを防止することができる。
【００４７】
次に、換気扇制御部２４６は、保守作業員によるメンテナンス作業が終了したかどうか、換言すれば、動作モードが点検モードから通常モードへと切り替わったか否かを判断する（Ｓ２２）。この工程は、換気扇制御部２４６のモード判断処理部２４６ａの機能によって実行される。Ｓ２２の工程において、動作モードが点検モードのままであると判断されれば、再びＳ２２へと戻る。
【００４８】
Ｓ２２の工程において、動作モードが点検モードから通常モードへと切り替わったと判断されれば、換気扇２１及び空調装置２２を自動的に作動する（Ｓ２４）。この工程は、換気扇制御部２４６の自動切替処理部２４６ｂの機能によって実行される。これにより、保守作業員のメンテナンス作業が終了したときに、保守作業員が換気扇２１及び空調装置２２の作動を再開させることを忘れてしまうことを防止することができる。
【００４９】
そして、動作モードが点検モードから通常モードへと切り替わった後の所定の期間内に空調装置２２に設定された設定温度より緩和された温度である緩和温度で空調装置２２を動作させ、その後所定の期間が経過したときに当該緩和温度から当該設定温度に再び変更して空調装置２２を動作させる（Ｓ２６）。具体的には、例えば、空調装置２２の設定温度が２５℃の場合において、メンテナンス作業中の空調装置２２の停止等によって、例えば、乗りかご２０内の温度が３２℃まで上昇している場合に、動作モードが点検モードから通常モードへと切り替わった後の３０分間は、当該設定温度２５℃よりも緩和された温度である緩和温度２８℃で動作させる。そして、３０分間経過させた後は、再び当該設定温度２５℃で空調装置２２を動作させる。この工程は、換気扇制御部２４６の空調装置制御処理部２４６ｄの機能によって実行される。これにより、メンテナンス作業中の換気扇２１及び空調装置２２の停止による温度上昇と、空調装置２２の設定温度との差が大きくなった場合、空調装置２２に過度の負荷がかかってしまうことを防止することができる。
【００５０】
また、温度／湿度記録処理部２４６ｅは、動作モードが点検モードから通常モードへと切り替わった後の所定の期間内は、当該温度及び湿度の記録を停止し、その後記録を再開する（Ｓ２８）。この工程は、温度／湿度記録処理部２４６ｅの機能によって実行される。これにより、上記換気扇２１や空調装置２２に不具合等が発生した際の解析において、メンテナンス作業中の換気扇２１及び空調装置２２の停止による温度上昇を誤って異常と解析してしまうことを防止することができる。
【００５１】
そして、換気扇手動スイッチ２４４ｂ及び空調装置手動スイッチ２４４ｃの操作を禁止する（Ｓ３０）。この工程は、換気扇制御部２４６の手動切替許可／禁止処理部２４６ｆの機能によって実行される。これにより、通常モードの運転中に誤って換気扇２１あるいは空調装置２２の作動／停止を切り替えてしまうことを防止することができる。Ｓ３０の工程の後は、リターン処理へと進む。
【００５２】
上記のように、エレベータ１０によれば、保守作業員が乗りかご２０内をメンテナンスする場合に、動作モードを通常モードから点検モードへと切り替えたことに連動して換気扇２１及び空調装置２２を自動的に停止することができる。そして、その後、再び動作モードを点検モードから通常モードへと切り替えたことに連動して、換気扇２１及び空調装置２２を自動的に作動することができる。これにより、保守作業員がメンテナンスする際に換気扇２１及び空調装置２２の停止あるいは作動することを忘れてしまうことを防止することができる。
【符号の説明】
【００５３】
８  機械室、１０  エレベータ、１２  主ロープ、１４  釣合錘、１６  巻上機、１８エレベータ制御盤、２１  換気扇、２２  空調装置、２３  湿度センサ、２４  かご操作盤、２６  乗りかご扉、２７  着床階、２８  乗場扉、３０  昇降路、２４２  行先階設定釦、２４４  操作盤ＢＯＸ、２４４ａ  動作モード切替スイッチ、２４４ｂ  換気扇手動スイッチ、２４４ｃ  空調装置手動スイッチ、２４６  換気扇制御部、２４６ａ  モード判断処理部、２４６ｂ  自動切替処理部、２４６ｃ  換気扇制御処理部、２４６ｄ  空調装置制御処理部、２４６ｅ  温度／湿度記録処理部、２４６ｆ  手動切替許可／禁止処理部。
【図１】
0005607519.tif 000002
【図２】
0005607519.tif 000003
【図３】
0005607519.tif 000004